(57)【要約】【課題】授乳時に保護者が手を添えて哺乳瓶を支える必要が無く、また、使用しない場合には邪魔にならず、収納や持ち運びが容易な授乳補助具を備えた授乳用涎掛けを提供する。【解決手段】授乳用涎掛け１は、乳幼児の胸部を覆って衣服の汚れを防ぐ本体１ａの上面に、気密性を有するビニルなどの軟質膜材からなる袋体４ａ及び手動ポンプ６によって構成される授乳補助具３ａが装着された構造であり、袋体４ａに設けられた給脱気口５ａには手動ポンプ６が着脱可能に接続されている。【選択図】図１
2008188198.tif 000002
【特許請求の範囲】
【請求項１】
気密性を有する軟質膜材からなる袋体を備え、この袋体は内部に気体が注入されると膨張し、かつ、哺乳瓶の側面を圧迫しつつ、その姿勢を保持する保持部を形成することを特徴とする授乳補助具。
【請求項２】
前記保持部は横断面の輪郭線が開口部を有する略円弧状をなすとともに、前記哺乳瓶の前記側面に沿って形成されることを特徴とする請求項１記載の授乳補助具。
【請求項３】
前記袋体に給脱気口を設け、この給脱気口に接続される気体注入手段を備えたことを特徴とする請求項１又は請求項２に記載の授乳補助具。
【請求項４】
気密性を有する軟質膜材からなる袋状の載置台を備え、この載置台は内部に気体が注入されると膨張し、その上部に前記哺乳瓶を傾斜状態で載置可能な凹部を形成することを特徴とする請求項乃至請求項３のいずれか１項に記載の授乳補助具。
【請求項５】
前記保持部に、気密性を有する軟質膜材からなる調整用袋体を備えたことを特徴とする請求項１乃至請求項４のいずれか１項に記載の授乳補助具。
【請求項６】
前記袋体の表面に係止具及び受具を備え、前記係止具は前記保持部の形状を維持可能に前記受具に係止することを特徴とする請求項１乃至請求項５のいずれか１項に記載の授乳補助具。
【請求項７】
請求項１乃至請求項６のいずれか１項に記載の授乳補助具を上面に設けたことを特徴とする授乳用涎掛け。
【発明の詳細な説明】
【技術分野】
【０００１】
本発明は、乳幼児に哺乳瓶を用いてミルク等を飲ませる際に使用する涎掛けに係り、特に、哺乳瓶を保持する授乳補助具を備えた授乳用涎掛けに関する。
【背景技術】
【０００２】
哺乳瓶を自分で支えられないような乳幼児に対して授乳を行う場合、乳幼児の代わりに保護者が哺乳瓶を持つ必要がある。乳幼児がある程度成長して、哺乳瓶を自分の手でつかめるようになったとしても、やはり安全上、保護者は哺乳瓶を支えてやる必要がある。しかしながら、横から手を差し出して哺乳瓶を持つという不自然な体勢は非常に疲れ易く、授乳の間中、そのような体勢を続けることは極めて困難である。また、保護者はその間、何も他の作業をすることができず、自分の時間を有効に利用することができない。そこで、このような保護者の負担を軽減するために哺乳瓶を保持する手段や方法について、従来、様々な研究や開発がなされており、それに関して既に幾つかの発明や考案が開示されている。
【０００３】
例えば、特許文献１には、「授乳補助具」という名称で、仰向けに寝た乳児に対して安定して授乳することが可能な授乳補助具に関する発明が開示されている。
特許文献１に開示された発明は、発泡ポリウレタン製のブロック等柔軟性を有する台部材の前部に前方下向きに傾斜した状態で形成された凹部に哺乳瓶をセットし、伸縮性を有するベルトを用いて固定するというものである。
このような構造によれば、飲み口が移動しないように哺乳瓶が固定されているため、乳児が哺乳瓶の飲み口から口元を離した場合でも、苦労せずに再び飲み口をくわえることができる。また、哺乳瓶にベルトを巻き付けて台部材に固定しているため、哺乳瓶の着脱が容易であるとともに、台部材に対する哺乳瓶の上下位置を調節することができる。さらに、台部材の凹部が略Ｖ字形状であり、また、ベルトが伸縮性を有しているため、太さの異なる哺乳瓶に対しても対応可能である。
【０００４】
特許文献２には、「哺乳器の支持具」という名称で、添人がいなくても乳幼児に対して安全に授乳を行うことができる哺乳器の支持具に関する発明が開示されている。
特許文献２に開示された発明は、スポンジ状の合成樹脂や発泡樹脂などの弾力性を有する材質からなる支持具本体に哺乳瓶を嵌合保持するための溝や挿入孔を形成し、外表を覆うカバーを支持具本体に対して着脱自在に装着した構造となっている。
このような構造によれば、添人がいなくとも、安全に授乳することができる。また、支持具本体の外表面に模様を施すことによれば、通常時に玩具やクッションとして利用することができる。
【０００５】
特許文献３には、「哺乳びん保持部付きよだれかけ」という名称で、哺乳瓶の着脱が容易な保持部を備えたよだれかけに関する考案が開示されている。
特許文献３に開示された考案は、背面布部と両側布部と底面布部からなる哺乳瓶保持部をよだれかけ本体の下部に設けた構造となっており、連結帯を面圧ファスナーによって両側布部の間に着脱自在に取り付けたことを特徴としている。
このような構造によれば、乳幼児が哺乳瓶から手を離しても、床などに転がるおそれがない。また、哺乳瓶の乳首がよだれで汚れた場合には、よだれかけを用いて簡単にふき取ることができる。
【０００６】
【特許文献１】特開２００５−０５２３３２号公報
【特許文献２】特開平０７−２８９６１１号公報
【特許文献３】実開平０１−１５３３１０号公報
【発明の開示】
【発明が解決しようとする課題】
【０００７】
上述の従来技術である特許文献１に開示された発明においては、台部材が柔軟性を有するものの、中実構造であるため、収納時に嵩張り、収納し難いという課題があった。また、ブロック状であるため、持ち運びが容易でないという課題もあった。
【０００８】
上述の従来技術である特許文献２に開示された発明においては、支持具本体が弾力性を有する素材によって形成されるものの、中実構造に加え、象型形状をしているため、収納性が悪く、また、持ち運びも容易でないという課題があった。
【０００９】
また、上述の従来技術である特許文献３に開示された考案は、座った状態で哺乳瓶を自分独りで持つことができる程度に成長した乳幼児が哺乳瓶のくわえ直しをする場合には有効であるが、哺乳瓶を固定する構造とはなっていないため、まだ独りで座ることができず、仰向けに寝た状態での授乳が必要な乳幼児に対しては保護者等が手を添えて哺乳瓶を支えなければならないという課題があった。
【００１０】
本発明はかかる従来の事情に対処してなされたものであり、授乳時に保護者が手を添えて哺乳瓶を支える必要が無く、また、使用しない場合には邪魔にならず、収納や持ち運びが容易な授乳補助具を備えた授乳用涎掛けを提供することを目的とする。
【課題を解決するための手段】
【００１１】
上記目的を達成するため、請求項１記載の発明である授乳補助具は、気密性を有する軟質膜材からなる袋体を備え、この袋体は内部に気体が注入されると膨張し、かつ、哺乳瓶の側面を圧迫しつつ、その姿勢を保持する保持部を形成することを特徴とするものである。
このような構造の授乳補助具においては、保持部が袋体の内部に注入される気体の量に応じた力で哺乳瓶の側面を圧迫するという作用を有する。これにより、哺乳瓶の姿勢が保持される。また、使用しない場合には内部に注入された気体を抜いて扁平形状となるまで押しつぶすことによって、収納性が向上する。
【００１２】
また、請求項２記載の発明は、請求項１記載の授乳補助具において、保持部は横断面の輪郭線が開口部を有する略円弧状をなすとともに、哺乳瓶の側面に沿って形成されることを特徴とするものである。
このような構造の授乳補助具においては、哺乳瓶が保持部によって外側から包み込まれるように保持されるという作用を有する。
【００１３】
請求項３記載の発明は、請求項１又は請求項２に記載の授乳補助具において、袋体に給脱気口を設け、この給脱気口に接続される気体注入手段を備えたことを特徴とするものである。
このような構造の授乳補助具においては、気体注入手段が給脱気口から気体を注入させて袋体を膨張させるという作用を有する。
【００１４】
請求項４記載の発明は、請求項乃至請求項３のいずれか１項に記載の授乳補助具において、気密性を有する軟質膜材からなる袋状の載置台を備え、この載置台は内部に気体が注入されると膨張し、その上部に哺乳瓶を傾斜状態で載置可能な凹部を形成することを特徴とするものである。
このような構造の授乳補助具においては、内容物が常に飲み口側に溜まるように載置台が哺乳瓶の傾斜姿勢を保持するという作用を有する。また、載置台の内部に注入される気体の量に応じて哺乳瓶の傾斜姿勢が変化するという作用を有する。
【００１５】
請求項５記載の発明は、請求項１乃至請求項４のいずれか１項に記載の授乳補助具において、保持部に、気密性を有する軟質膜材からなる調整用袋体を備えたことを特徴とするものである。
このような構造の授乳補助具においては、調整用袋体が内部に気体を注入されて膨張するとともに、哺乳瓶の側面と保持部との隙間を埋めるように作用する。
【００１６】
請求項６記載の発明は、請求項１乃至請求項５のいずれか１項に記載の授乳補助具において、袋体の表面に係止具及び受具を備え、係止具は保持部の形状を維持可能に受具に係止することを特徴とするものである。
このような構造の授乳補助具においては、係止具及び受具が保持部の形状変化を防いで哺乳瓶の保持力を維持するように作用する。
【００１７】
請求項７記載の発明である授乳用涎掛けは、請求項１乃至請求項６のいずれか１項に記載の授乳補助具を上面に設けたことを特徴とするものである。
このような構造の授乳用涎掛けにおいては、請求項１乃至請求項６のいずれか１項に記載の授乳補助具と同様の作用を有するとともに、乳幼児の衣服の汚れを防ぐという涎掛け本来の作用を有する。
【発明の効果】
【００１８】
以上説明したように、本発明の請求項１記載の授乳補助具においては、袋体への気体の注入量を調節することにより、哺乳瓶のサイズや重さに応じた適切な保持力を発生させることができる。また、使用しない場合には押しつぶして小型化することができる。従って、持ち運びが容易になるとともに、収納スペースも節約することができる。さらに、授乳補助具は、内部に気体を注入して使用する袋体から構成されるため、軽量化を図ることができる。また、乳幼児の体の上に置いても負担にならないため、例えば、仰向けに寝た状態の乳幼児の胸の上に置いて使用することができる。このとき、保護者は手を添えて哺乳瓶を支える必要がなく、安心して他の作業を行うことができる。すなわち、保護者は授乳時に無理な姿勢を強いられて疲労することがない。そして、自分の時間を有効に利用することが可能である。
【００１９】
本発明の請求項２記載の発明においては、保持部が哺乳瓶の側面を略均等に圧迫するため、左右方向だけでなく前後方向に対しても哺乳瓶の移動を阻止することができる。従って、哺乳瓶の姿勢が確実に保持される。
【００２０】
本発明の請求項３記載の発明においては、袋体を膨らませる際に、呼気を吹き込む必要がないため、保護者の負担が軽減される。また、給脱気口に口をつけなくとも良いので、衛生的である。
【００２１】
本発明の請求項４記載の発明においては、哺乳瓶の内容物が少なくなった場合でも、乳幼児は内容物を容易に飲むことができる。また、授乳補助具の設置場所が水平でない場合でも、載置台の内部に注入する気体の量を調整することにより、哺乳瓶を適切な傾斜姿勢で保持することが可能である。
【００２２】
本発明の請求項５記載の発明においては、哺乳瓶の外径が保持部より小さい場合であっても調整用袋体を膨張させることにより、哺乳瓶の側面を圧迫することができる。これにより、外径が保持部の内径より小さい哺乳瓶に対しても姿勢を保持するために必要な所定の保持力を発生させることができる。
【００２３】
本発明の請求項６記載の発明においては、哺乳瓶に対する保持力の低下を防ぐことができる。これにより、哺乳瓶が不用意に外れることがなくなるため、安全性が向上する。
【００２４】
本発明の請求項７記載の発明においては、授乳時以外は授乳補助具を小さく畳み、通常の涎掛けとして使用することができる。従って、乳幼児に絶えず装着させておき、必要に応じて利用できるため、利便性が良い。
【発明を実施するための最良の形態】
【００２５】
本発明の最良の実施の形態に係る授乳補助具を備えた授乳用涎掛けの実施例について図１乃至図４を用いて説明する。
【実施例１】
【００２６】
実施例１の授乳補助具を備えた授乳用涎掛けについて図１及び図２を用いて説明する（特に、請求項１乃至請求項３及び請求項７に対応）。
図１（ａ）及び（ｂ）はそれぞれ本発明の実施の形態に係る授乳用涎掛けの実施例１の平面図及び授乳補助具の外観斜視図である。また、図２（ａ）乃至（ｃ）はそれぞれ実施例１の授乳補助具の膨張時の外観斜視図、正面図及び側面図である。なお、図２では手動ポンプの図示を省略している。
図1（ａ）に示すように、本実施例の授乳用涎掛け１は、仰向けに寝た状態の乳幼児に対して哺乳瓶２でミルク等を飲ませる際に飲み口２ａが移動しないように固定するためのものであり、乳幼児の胸部を覆って衣服の汚れを防ぐ本体１ａの表面に授乳補助具３ａが装着された構造となっている。本体１ａは防水性を有するポリエステルなどの合成樹脂素材からなり、その上縁部には紐１ｂが取り付けられている。紐１ｂは授乳用涎掛け１を乳幼児の胸部に取り付けるためのものであり、首に巻きつけて使用する。従って、綿などの肌触りの良い素材を使用することが望ましい。なお、紐１ｂの取り付け箇所は、図１（ａ）に示す場合に限定されるものではない。例えば、紐１ｂは本体１ａの上縁部以外の箇所に取り付け、乳幼児の腕や胴体に巻きつけて使用する構造としても良い。また、本体１ａ及び紐１ｂは、必ずしも上記素材に限定されるものではなく、その素材は適宜変更可能である。
授乳補助具３ａは気密性を有するビニルなどの軟質膜材からなる袋体４ａ及び手動ポンプ６によって構成され、手動ポンプ６は袋体４ａに設けられた給脱気口５ａに着脱可能に接続されている。給脱気口５ａに接続した状態で手動ポンプ６を押すと、手動ポンプ６内の空気が給脱気口５ａを通って袋体４ａの内部に送り込まれる。なお、手動ポンプ６には図示しない逆止弁が取り付けられており、給脱気口５ａを通って袋体４ａの内部に送り込んだ空気が勝手に給脱気口５ａを通って手動ポンプ６側に逆流しない構造になっている。また、手動ポンプ６と給脱気口５ａの接続を外した場合には、袋体４ａの内部の空気を給脱気口５ａから排出することができる。袋体４ａは押しつぶして略扁平形状とすることが可能であり、この場合には内部の空気がほぼ完全に排出されることになる。また、蛇腹構造の手動ポンプ６は袋体４ａと同様に略扁平形状になるまで押しつぶすことができる。
【００２７】
なお、手動ポンプ６は、手で操作することにより空気が一方向に送り出される機構を備えているものであれば良く、必ずしも図１（ｂ）に示すような蛇腹構造である必要はない。また、給脱気口５ａや手動ポンプ６の個数は図１（ｂ）に示す場合に限定されるものではない。例えば、袋体４ａに複数の給脱気口５ａを設けるとともに、各給脱気口５ａに対してそれぞれ手動ポンプ６を接続した構造としても良い。あるいは、給脱気口５ａに逆止弁を取り付けるとともに、手動ポンプ６を本体１ａから取り外し可能な構造とすることもできる。この場合、手動ポンプ６を取り外すことで授乳用涎掛け１が軽くなるため、収納性や運搬性が向上する。また、手動ポンプ６を使用する代わりに、保護者の呼気を吹き込むか、あるいは、ボンベを接続して圧縮した空気を注入することによって袋体４ａを膨張させても良い。なお、袋体４ａの内部に注入する気体は、空気に限らず、他の気体を使用しても良い。
【００２８】
図１（ｂ）に示すように、手動ポンプ６を用いて内部に空気が送り込まれて膨張した袋体４ａは、哺乳瓶２の側面２ｂを外側から包み込むようにして圧迫する保持部７ａを形成する。なお、図２（ａ）及び（ｂ）に示すように、保持部７ａの横断面の輪郭線は開口部７ｂを有する略円弧状をなし、縦断面の輪郭線は底面７ｃに対して傾斜している。
このような構造の授乳補助具３ａにおいては、保持部７ａが袋体４ａの内部に注入される空気の量に応じた力で側面２ｂを包み込むように略均等に圧迫する。これにより、哺乳瓶２は前傾状態で保持される。また、袋体４ａ及び手動ポンプ６を略扁平形状に押しつぶすことによれば、収納が容易となる。
また、このような構造の授乳補助具３ａが本体１ａの上面に装着された授乳用涎掛け１においては、乳幼児の衣服の汚れを防ぐという涎掛け本来の作用に加えて、飲み口２ａ側が低くなるような前傾状態で哺乳瓶２を保持するという作用を有する。  
【００２９】
以上説明したように、本実施例の授乳補助具３ａにおいては、袋体４ａに注入される空気の量に対応する保持力が発生するため、哺乳瓶２のサイズや重量に応じて保持力を調節することが可能である。また、使用しない場合には押しつぶして小型化することで、持ち運びを容易にするとともに、収納スペースを節約することができる。なお、袋体４ａ及び手動ポンプ６は液密性を有することが望ましい。この場合、液体が内部に浸透して故障するおそれがない。従って、哺乳瓶２の表面が濡れている場合でも、問題なく使用することができる。また、汚れた場合には、気軽に水洗いすることができる。加えて、袋体４ａを膨張させる際に給脱気口５ａに口をつけて呼気を吹き込む必要がないため、衛生的であるとともに、保護者の負担が軽減される。さらに、袋体４ａ及び手動ポンプ６は中空構造で軽いため、例えば、乳幼児の胸の上に置いた場合でも、その呼吸動作を妨げる心配がない。従って、仰向けに寝た状態の乳幼児に対して哺乳瓶２を用いて授乳する際に、乳幼児の胸の上に授乳補助具３ａを置いて使用することができる。この場合、哺乳瓶２が顔の正面に配置されるため、乳幼児は飲み口２ａをくわえるために顔を横に向ける必要がなく、疲れ難い。そして、哺乳瓶２は袋体４ａによって左右方向だけでなく、前後方向にも移動しないよう保持されるため、保護者は哺乳瓶２を支える必要がない。従って、保護者は無理な姿勢を強いられることがなくなり、授乳時における疲労が大幅に軽減される。加えて、安心して他の作業をすることが可能であり、時間を有効に活用することができる。
また、上記構造の授乳補助具３ａを備えた授乳用涎掛け１においては、授乳補助具３ａを押しつぶして小さく畳むことにより、嵩張らないようにすることができる。この場合、乳幼児に装着しても、その動作を妨げる心配がない。従って、普段は涎掛けとして使用しつつ、授乳時にのみ授乳補助具３ａの機能を発揮させることができる。
【実施例２】
【００３０】
次に、実施例２の授乳用涎掛けに装着される授乳補助具について図３を用いて説明する（特に、請求項４に対応）。
図３（ａ）は実施例２の授乳用涎掛けに装着される授乳補助具の膨張時の外観斜視図であり、（ｂ）及び（ｃ）はそれぞれ授乳補助具を構成する袋体及び載置台の外観斜視図である。なお、図１及び図２に示した構成要素については、同一の符号を付してその説明を省略するとともに、手動ポンプについても図示を省略する。
図３（ａ）に示すように、本実施例の授乳補助具３ｂは、実施例１の授乳補助具３ａにおいて、袋体４ａに代えて袋体４ｂ及び載置台８を備えたことを特徴とするものである。袋体４ｂ及び載置台８は、気密性を有するビニルなどの軟質膜材によって形成され、それぞれ給脱気口５ａ，５ｂが設けられている。また、給脱気口５ａ，５ｂには図示しない手動ポンプ６がそれぞれ着脱可能に接続されており、袋体４ｂ及び載置台８は手動ポンプ６によって内部に空気を送り込むことにより膨張する。また、袋体４ｂ及び載置台８の内部の空気は手動ポンプ６を給脱気口５ａ，５ｂから外すことによって容易に排出される。なお、袋体４ｂ及び載置台８は内部の空気をほぼ完全に排出して押しつぶすことにより、略扁平形状とすることが可能である。
図３（ｂ）に示すように、内部に空気が送り込まれて膨張した袋体４ｂは、哺乳瓶２の左右及び上部から側面２ｂを圧迫する保持部７ａを形成する。保持部７ａは横断面の輪郭線の一部が開口部７ｂを有する略円弧状をなしている。一方、内部に空気が送り込まれて膨張した載置台８の上部には、哺乳瓶２を傾斜状態で載置可能なように、縦断面の輪郭線が底面８ｂに対して傾斜している凹部８ａが形成される。
【００３１】
このような構造の授乳補助具３ｂにおいては、保持部７ａが袋体４ｂの内部に注入された空気の量に応じた力で、哺乳瓶２の側面２ｂを左右及び上部から圧迫し、載置台８が哺乳瓶２の側面２ｂを下部から圧迫するという作用を有する。これにより、哺乳瓶２が保持される。加えて、載置台８は内容物が飲み口２ａ側に溜まるように哺乳瓶２の傾斜姿勢を保持するという作用を有する。また、哺乳瓶２の傾斜姿勢は、載置台８の内部に注入される空気の量に応じて変化する。なお、袋体４ｂ、手動ポンプ６及び載置台８は液密性を有することが望ましく、この場合には、哺乳瓶２からこぼれた内容物が内部に浸透するおそれがない。
そして、このような構造の授乳補助具３ｂを備えた授乳用涎掛け１においては、涎掛け本来の作用に加えて、上述の授乳補助具３ｂの作用を有する。
【００３２】
以上説明したように、本実施例の授乳補助具３ｂにおいては、袋体４ｂに注入する空気の量を加減することにより実施例１の授乳補助具３ａの場合と同様に、哺乳瓶２のサイズや重量に応じた適切な保持力を発生させることができる。また、内容物が飲み口２ａ側に溜まるように載置台８が哺乳瓶２の傾斜姿勢を保持するため、乳幼児は苦労することなく、最後まで哺乳瓶２の内容物を飲むことができる。さらに、重ね着などの影響で、乳幼児の胸部に授乳補助具３ｂを水平状態で配置できない場合でも、載置台８の内部に注入する空気の量を加減することにより、哺乳瓶２の傾斜姿勢を調節することができる。加えて、授乳補助具３ｂを使用しない場合には、袋体４ｂ、手動ポンプ６及び載置台８を略扁平形状に押しつぶして、収納や持ち運びを容易にすることができる。なお、袋体４ｂ及び載置台８が液密性を有する場合には内部に液体が浸透して故障する心配がない。従って、表面が濡れた哺乳瓶２に対して使用できるのはもちろんのこと、汚れた場合には水洗いをすることができる。また、袋体４ｂ及び載置台８は中空構造で軽いため、実施例１の授乳補助具３ａと同様に、乳幼児の胸の上に置いて使用することができる。
上記構造の授乳補助具３ｂを備えた授乳用涎掛け１によれば、哺乳瓶２による授乳を行わない場合には、授乳補助具３ｂを小さく畳むことができるので、実施例１の場合と同様に、常時、乳幼児に装着することで涎掛け本来の機能を発揮させることが可能である。そして、授乳時には袋体４ｂ及び載置台８を膨張させることにより授乳補助具３ｂの機能を容易に発揮させることができる。
【実施例３】
【００３３】
実施例３の授乳用涎掛けに装着される授乳補助具について図４を用いて説明する（特に、請求項５及び請求項６に対応）。
図４（ａ）及び（ｂ）はそれぞれ実施例３の授乳用涎掛けに装着される授乳補助具を構成する袋体の膨張時の正面図及び側面図である。なお、図１及び図２に示した構成要素については、同一の符号を付してその説明を省略するとともに、手動ポンプについても図示を省略する。
図４（ａ）及び（ｂ）に示すように、本実施例の授乳補助具３ｃは、実施例１の授乳補助具３ａにおいて、袋体４ａの開口部７ｂに雄型及び雌型の面ファスナー１１ａ，１１ｂがそれぞれ係止具及び受具として取り付けられるとともに、袋体４ａの保持部７ａの表面に気密性を有するビニルなどの軟質膜材からなる複数の調整用袋体９が円周方向に略均等に配置された構造となっている。なお、複数の調整用袋体９は給気管１０で互いに連通されるとともに、そのうちの１つの調整用袋体９には給脱気口５ｃが設けられている。給脱気口５ａ，５ｃには図示しない手動ポンプ６がそれぞれ着脱可能に接続されており、手動ポンプ６によって給脱気口５ｃから送り込まれた空気は、給気管１０を通って全ての調整用袋体９に送り込まれる。すなわち、手動ポンプ６を用いて給脱気口５ｃから空気を注入することにより、全ての調整用袋体９は袋体４ａと独立に膨張するように構成されている。なお、手動ポンプ６を給脱気口５ｃから外した場合には、内部の空気を排出しながら押しつぶすことにより、全ての調整用袋体９を略扁平形状にすることができる。また、給気管１０は給脱気口５ｃに空気を注入した場合に膨張するものの、その嵩は調整用袋体９よりも低く、調整用袋体９と同様に内部の空気を排出して扁平形状に押しつぶすことができる。
本実施例では調整用袋体９の外形を円柱形状としているが、これに限定されるものではない。すなわち、角柱や球のような形状であっても良い。また、調整用袋体９の個数や配置及び給気管１０の形状や給脱気口５ｃの設置箇所は本実施例の場合に限定されるものではなく、適宜変更可能である。さらに、面ファスナー１１ａ，１１ｂに代えてスナップフィットを係止具及び受具として袋体４ａの開口部７ｂに取り付けた構造とすることもできる。
【００３４】
このような構造の授乳補助具３ｃにおいては、内部に空気を注入されて膨張した調整用袋体９が哺乳瓶２の側面２ｂを周囲から圧迫するという作用を有する。従って、例えば、哺乳瓶２の側面２ｂの外径が袋体４ａの膨張時における保持部７ａの内径より小さい場合にも、膨張した調整用袋体９が哺乳瓶２の側面２ｂと保持部７ａとの隙間を埋めるため、哺乳瓶２を保持するために必要な所定の保持力が発生する。また、袋体４ａの膨張時において、面ファスナー１１ａは面ファスナー１１ｂに係止することにより、保持部７ａの形状を維持するという作用を有する。この場合、保持部７ａと哺乳瓶２の側面２ｂとの距離が変化しないため、保持力が一定に保たれる。なお、調整用袋体９は液密性を有することが望ましい。この場合、哺乳瓶２の内容物がこぼれたとしても調整用袋体９の内部に浸透するおそれがない。
また、このような構造の授乳補助具３ｃを備えた授乳用涎掛け１においては、涎掛け本来の作用に加えて、授乳補助具３ｃの上記作用を有する。
【００３５】
以上説明したように、本実施例の授乳補助具３ｃにおいては、実施例１の授乳補助具３ａの効果を、外径の小さな哺乳瓶２に対しても同様に発揮させることができる。また、哺乳瓶２が不用意に外れるおそれがないため、授乳時の安全性が向上する。なお、調整用袋体９が液密性を有する場合には内部への液体の浸透を阻止して故障の発生を防止することができる。
そして、本実施例の授乳補助具３ｃを備えた授乳用涎掛け１においては、実施例１の効果に加えて、授乳補助具３ｃの上述の効果が発揮される。
【００３６】
なお、授乳補助具３ａ〜３ｃは、必ずしも本体１ａに装着される必要はない。すなわち、面ファスナーやスナップフィット等を用いて授乳補助具３ａ〜３ｃを本体１ａの表面に着脱自在に取り付けた構造としても良い。また、袋体４ａ，４ｂの保持部７ａは膨張した際に哺乳瓶２の側面２ｂに略密着するような形状であれば、必ずしも略円弧状でなくとも良く、例えば、矩形状あるいはそれ以外の形状とすることもできる。
【産業上の利用可能性】
【００３７】
以上説明したように、請求項１乃至請求項６に記載された発明は、仰向けに寝た状態の乳幼児のみならず、座った状態の乳幼児に対して授乳する場合にも適用可能である。
【図面の簡単な説明】
【００３８】
【図１】（ａ）及び（ｂ）はそれぞれ本発明の実施の形態に係る授乳用涎掛けの実施例１の平面図及び授乳補助具の外観斜視図である。
【図２】（ａ）乃至（ｃ）はそれぞれ実施例１の授乳補助具の膨張時の外観斜視図、正面図及び側面図である。
【図３】（ａ）は実施例２の授乳用涎掛けに装着される授乳補助具の膨張時の外観斜視図であり、（ｂ）及び（ｃ）はそれぞれ授乳補助具を構成する袋体及び載置台の外観斜視図である。
【図４】（ａ）及び（ｂ）はそれぞれ実施例３の授乳用涎掛けに装着される授乳補助具を構成する袋体の膨張時の正面図及び側面図である。
【符号の説明】
【００３９】
１…授乳用涎掛け  １ａ…本体  １ｂ…紐  ２…哺乳瓶  ２ａ…飲み口  ２ｂ…側面  ３ａ〜３ｃ…授乳補助具  ４ａ，４ｂ…袋体  ５ａ〜５ｃ…給脱気口  ６…手動ポンプ  ７ａ…保持部  ７ｂ…開口部  ７ｃ…底面  ８…載置台  ８ａ…凹部  ８ｂ…底面  ９…調整用袋体  １０…給気管  １１ａ，１１ｂ…面ファスナー
【図１】
2008188198.tif 000003
【図２】
2008188198.tif 000004
【図３】
2008188198.tif 000005
【図４】
2008188198.tif 000006
【手続補正書】
【提出日】平成20年2月12日(2008.2.12)
【手続補正１】
【補正対象書類名】特許請求の範囲
【補正対象項目名】全文
【補正方法】変更
【補正の内容】
【特許請求の範囲】
【請求項１】
気密性を有する軟質膜材からなる袋体を備え、この袋体は内部に気体が注入されると断面視略Ｃ字状に膨張し、かつ、哺乳瓶の側面を少なくとも周方向の半分以上にわたって包み込むように圧迫しつつ、その姿勢を保持する保持部を形成することを特徴とする授乳補助具。
【請求項２】
前記袋体に給脱気口を設け、この給脱気口に接続される気体注入手段を備えたことを特徴とする請求項１に記載の授乳補助具。
【請求項３】
気密性を有する軟質膜材からなる袋状の載置台を備え、この載置台は内部に気体が注入されると膨張し、その上部に前記哺乳瓶を傾斜状態で載置可能な凹部を形成することを特徴とする請求項１又は請求項２に記載の授乳補助具。
【請求項４】
前記保持部に、気密性を有する軟質膜材からなる調整用袋体を備えたことを特徴とする請求項１乃至請求項３のいずれか１項に記載の授乳補助具。
【請求項５】
前記袋体の表面に係止具及び受具を備え、前記係止具は前記保持部の形状を維持可能に前記受具に係止することを特徴とする請求項１乃至請求項４のいずれか１項に記載の授乳補助具。
【請求項６】
請求項１乃至請求項５のいずれか１項に記載の授乳補助具を上面に設けたことを特徴とする授乳用涎掛け。
【手続補正２】
【補正対象書類名】明細書
【補正対象項目名】００１１
【補正方法】変更
【補正の内容】
【００１１】
上記目的を達成するため、請求項１記載の発明である授乳補助具は、気密性を有する軟質膜材からなる袋体を備え、この袋体は内部に気体が注入されると断面視略Ｃ字状に膨張し、かつ、哺乳瓶の側面を少なくとも周方向の半分以上にわたって包み込むように圧迫しつつ、その姿勢を保持する保持部を形成することを特徴とするものである。
このような構造の授乳補助具においては、保持部が袋体の内部に注入される気体の量に応じた力で哺乳瓶の側面を圧迫するという作用を有する。これにより、哺乳瓶の姿勢が外側から包み込まれるように保持される。また、使用しない場合には内部に注入された気体を抜いて扁平形状となるまで押しつぶすことによって、収納性が向上する。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】変更
【補正の内容】
【００１３】
請求項２記載の発明は、請求項１に記載の授乳補助具において、袋体に給脱気口を設け、この給脱気口に接続される気体注入手段を備えたことを特徴とするものである。
このような構造の授乳補助具においては、気体注入手段が給脱気口から気体を注入させて袋体を膨張させるという作用を有する。
【手続補正５】
【補正対象書類名】明細書
【補正対象項目名】００１４
【補正方法】変更
【補正の内容】
【００１４】
請求項３記載の発明は、請求項１又は請求項２に記載の授乳補助具において、気密性を有する軟質膜材からなる袋状の載置台を備え、この載置台は内部に気体が注入されると膨張し、その上部に哺乳瓶を傾斜状態で載置可能な凹部を形成することを特徴とするものである。
このような構造の授乳補助具においては、内容物が常に飲み口側に溜まるように載置台が哺乳瓶の傾斜姿勢を保持するという作用を有する。また、載置台の内部に注入される気体の量に応じて哺乳瓶の傾斜姿勢が変化するという作用を有する。
【手続補正６】
【補正対象書類名】明細書
【補正対象項目名】００１５
【補正方法】変更
【補正の内容】
【００１５】
請求項４記載の発明は、請求項１乃至請求項３のいずれか１項に記載の授乳補助具において、保持部に、気密性を有する軟質膜材からなる調整用袋体を備えたことを特徴とするものである。
このような構造の授乳補助具においては、調整用袋体が内部に気体を注入されて膨張するとともに、哺乳瓶の側面と保持部との隙間を埋めるように作用する。
【手続補正７】
【補正対象書類名】明細書
【補正対象項目名】００１６
【補正方法】変更
【補正の内容】
【００１６】
請求項５記載の発明は、請求項１乃至請求項４のいずれか１項に記載の授乳補助具において、袋体の表面に係止具及び受具を備え、係止具は保持部の形状を維持可能に受具に係止することを特徴とするものである。
このような構造の授乳補助具においては、係止具及び受具が保持部の形状変化を防いで哺乳瓶の保持力を維持するように作用する。
【手続補正８】
【補正対象書類名】明細書
【補正対象項目名】００１７
【補正方法】変更
【補正の内容】
【００１７】
請求項６記載の発明である授乳用涎掛けは、請求項１乃至請求項５のいずれか１項に記載の授乳補助具を上面に設けたことを特徴とするものである。
このような構造の授乳用涎掛けにおいては、請求項１乃至請求項５のいずれか１項に記載の授乳補助具と同様の作用を有するとともに、乳幼児の衣服の汚れを防ぐという涎掛け本来の作用を有する。
【手続補正９】
【補正対象書類名】明細書
【補正対象項目名】００１８
【補正方法】変更
【補正の内容】
【００１８】
以上説明したように、本発明の請求項１記載の授乳補助具においては、袋体への気体の注入量を調節することにより、哺乳瓶のサイズや重さに応じた適切な保持力を発生させることができる。そして、保持部が哺乳瓶の側面を略均等に圧迫するため、左右方向だけでなく前後方向に対しても哺乳瓶の移動を阻止することができる。従って、哺乳瓶の姿勢が確実に保持される。また、使用しない場合には押しつぶして小型化することができる。従って、持ち運びが容易になるとともに、収納スペースも節約することができる。さらに、授乳補助具は、内部に気体を注入して使用する袋体から構成されるため、軽量化を図ることができる。また、乳幼児の体の上に置いても負担にならないため、例えば、仰向けに寝た状態の乳幼児の胸の上に置いて使用することができる。このとき、保護者は手を添えて哺乳瓶を支える必要がなく、安心して他の作業を行うことができる。すなわち、保護者は授乳時に無理な姿勢を強いられて疲労することがない。そして、自分の時間を有効に利用することが可能である。
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】変更
【補正の内容】
【００２０】
本発明の請求項２記載の発明においては、袋体を膨らませる際に、呼気を吹き込む必要がないため、保護者の負担が軽減される。また、給脱気口に口をつけなくとも良いので、衛生的である。
【手続補正１２】
【補正対象書類名】明細書
【補正対象項目名】００２１
【補正方法】変更
【補正の内容】
【００２１】
本発明の請求項３記載の発明においては、哺乳瓶の内容物が少なくなった場合でも、乳幼児は内容物を容易に飲むことができる。また、授乳補助具の設置場所が水平でない場合でも、載置台の内部に注入する気体の量を調整することにより、哺乳瓶を適切な傾斜姿勢で保持することが可能である。
【手続補正１３】
【補正対象書類名】明細書
【補正対象項目名】００２２
【補正方法】変更
【補正の内容】
【００２２】
本発明の請求項４記載の発明においては、哺乳瓶の外径が保持部より小さい場合であっても調整用袋体を膨張させることにより、哺乳瓶の側面を圧迫することができる。これにより、外径が保持部の内径より小さい哺乳瓶に対しても姿勢を保持するために必要な所定の保持力を発生させることができる。
【手続補正１４】
【補正対象書類名】明細書
【補正対象項目名】００２３
【補正方法】変更
【補正の内容】
【００２３】
本発明の請求項５記載の発明においては、哺乳瓶に対する保持力の低下を防ぐことができる。これにより、哺乳瓶が不用意に外れることがなくなるため、安全性が向上する。
【手続補正１５】
【補正対象書類名】明細書
【補正対象項目名】００２４
【補正方法】変更
【補正の内容】
【００２４】
本発明の請求項６記載の発明においては、授乳時以外は授乳補助具を小さく畳み、通常の涎掛けとして使用することができる。従って、乳幼児に絶えず装着させておき、必要に応じて利用できるため、利便性が良い。
【手続補正１６】
【補正対象書類名】明細書
【補正対象項目名】００２６
【補正方法】変更
【補正の内容】
【００２６】
実施例１の授乳補助具を備えた授乳用涎掛けについて図１及び図２を用いて説明する（特に、請求項１、２、６に対応）。
図１（ａ）及び（ｂ）はそれぞれ本発明の実施の形態に係る授乳用涎掛けの実施例１の平面図及び授乳補助具の外観斜視図である。また、図２（ａ）乃至（ｃ）はそれぞれ実施例１の授乳補助具の膨張時の外観斜視図、正面図及び側面図である。なお、図２では手動ポンプの図示を省略している。
図1（ａ）に示すように、本実施例の授乳用涎掛け１は、仰向けに寝た状態の乳幼児に対して哺乳瓶２でミルク等を飲ませる際に飲み口２ａが移動しないように固定するためのものであり、乳幼児の胸部を覆って衣服の汚れを防ぐ本体１ａの表面に授乳補助具３ａが装着された構造となっている。本体１ａは防水性を有するポリエステルなどの合成樹脂素材からなり、その上縁部には紐１ｂが取り付けられている。紐１ｂは授乳用涎掛け１を乳幼児の胸部に取り付けるためのものであり、首に巻きつけて使用する。従って、綿などの肌触りの良い素材を使用することが望ましい。なお、紐１ｂの取り付け箇所は、図１（ａ）に示す場合に限定されるものではない。例えば、紐１ｂは本体１ａの上縁部以外の箇所に取り付け、乳幼児の腕や胴体に巻きつけて使用する構造としても良い。また、本体１ａ及び紐１ｂは、必ずしも上記素材に限定されるものではなく、その素材は適宜変更可能である。
授乳補助具３ａは気密性を有するビニルなどの軟質膜材からなる袋体４ａ及び手動ポンプ６によって構成され、手動ポンプ６は袋体４ａに設けられた給脱気口５ａに着脱可能に接続されている。給脱気口５ａに接続した状態で手動ポンプ６を押すと、手動ポンプ６内の空気が給脱気口５ａを通って袋体４ａの内部に送り込まれる。なお、手動ポンプ６には図示しない逆止弁が取り付けられており、給脱気口５ａを通って袋体４ａの内部に送り込んだ空気が勝手に給脱気口５ａを通って手動ポンプ６側に逆流しない構造になっている。また、手動ポンプ６と給脱気口５ａの接続を外した場合には、袋体４ａの内部の空気を給脱気口５ａから排出することができる。袋体４ａは押しつぶして略扁平形状とすることが可能であり、この場合には内部の空気がほぼ完全に排出されることになる。また、蛇腹構造の手動ポンプ６は袋体４ａと同様に略扁平形状になるまで押しつぶすことができる。
【手続補正１７】
【補正対象書類名】明細書
【補正対象項目名】００３０
【補正方法】変更
【補正の内容】
【００３０】
次に、実施例２の授乳用涎掛けに装着される授乳補助具について図３を用いて説明する（特に、請求項３に対応）。
図３（ａ）は実施例２の授乳用涎掛けに装着される授乳補助具の膨張時の外観斜視図であり、（ｂ）及び（ｃ）はそれぞれ授乳補助具を構成する袋体及び載置台の外観斜視図である。なお、図１及び図２に示した構成要素については、同一の符号を付してその説明を省略するとともに、手動ポンプについても図示を省略する。
図３（ａ）に示すように、本実施例の授乳補助具３ｂは、実施例１の授乳補助具３ａにおいて、袋体４ａに代えて袋体４ｂ及び載置台８を備えたことを特徴とするものである。袋体４ｂ及び載置台８は、気密性を有するビニルなどの軟質膜材によって形成され、それぞれ給脱気口５ａ，５ｂが設けられている。また、給脱気口５ａ，５ｂには図示しない手動ポンプ６がそれぞれ着脱可能に接続されており、袋体４ｂ及び載置台８は手動ポンプ６によって内部に空気を送り込むことにより膨張する。また、袋体４ｂ及び載置台８の内部の空気は手動ポンプ６を給脱気口５ａ，５ｂから外すことによって容易に排出される。なお、袋体４ｂ及び載置台８は内部の空気をほぼ完全に排出して押しつぶすことにより、略扁平形状とすることが可能である。
図３（ｂ）に示すように、内部に空気が送り込まれて膨張した袋体４ｂは、哺乳瓶２の左右及び上部から側面２ｂを圧迫する保持部７ａを形成する。保持部７ａは横断面の輪郭線の一部が開口部７ｂを有する略円弧状をなしている。一方、内部に空気が送り込まれて膨張した載置台８の上部には、哺乳瓶２を傾斜状態で載置可能なように、縦断面の輪郭線が底面８ｂに対して傾斜している凹部８ａが形成される。
【手続補正１８】
【補正対象書類名】明細書
【補正対象項目名】００３３
【補正方法】変更
【補正の内容】
【００３３】
実施例３の授乳用涎掛けに装着される授乳補助具について図４を用いて説明する（特に、請求項４、５に対応）。
図４（ａ）及び（ｂ）はそれぞれ実施例３の授乳用涎掛けに装着される授乳補助具を構成する袋体の膨張時の正面図及び側面図である。なお、図１及び図２に示した構成要素については、同一の符号を付してその説明を省略するとともに、手動ポンプについても図示を省略する。
図４（ａ）及び（ｂ）に示すように、本実施例の授乳補助具３ｃは、実施例１の授乳補助具３ａにおいて、袋体４ａの開口部７ｂに雄型及び雌型の面ファスナー１１ａ，１１ｂがそれぞれ係止具及び受具として取り付けられるとともに、袋体４ａの保持部７ａの表面に気密性を有するビニルなどの軟質膜材からなる複数の調整用袋体９が円周方向に略均等に配置された構造となっている。なお、複数の調整用袋体９は給気管１０で互いに連通されるとともに、そのうちの１つの調整用袋体９には給脱気口５ｃが設けられている。給脱気口５ａ，５ｃには図示しない手動ポンプ６がそれぞれ着脱可能に接続されており、手動ポンプ６によって給脱気口５ｃから送り込まれた空気は、給気管１０を通って全ての調整用袋体９に送り込まれる。すなわち、手動ポンプ６を用いて給脱気口５ｃから空気を注入することにより、全ての調整用袋体９は袋体４ａと独立に膨張するように構成されている。なお、手動ポンプ６を給脱気口５ｃから外した場合には、内部の空気を排出しながら押しつぶすことにより、全ての調整用袋体９を略扁平形状にすることができる。また、給気管１０は給脱気口５ｃに空気を注入した場合に膨張するものの、その嵩は調整用袋体９よりも低く、調整用袋体９と同様に内部の空気を排出して扁平形状に押しつぶすことができる。
本実施例では調整用袋体９の外形を円柱形状としているが、これに限定されるものではない。すなわち、角柱や球のような形状であっても良い。また、調整用袋体９の個数や配置及び給気管１０の形状や給脱気口５ｃの設置箇所は本実施例の場合に限定されるものではなく、適宜変更可能である。さらに、面ファスナー１１ａ，１１ｂに代えてスナップフィットを係止具及び受具として袋体４ａの開口部７ｂに取り付けた構造とすることもできる。
【手続補正書】
【提出日】平成20年5月12日(2008.5.12)
【手続補正１】
【補正対象書類名】特許請求の範囲
【補正対象項目名】全文
【補正方法】変更
【補正の内容】
【特許請求の範囲】
【請求項１】
気密性を有する軟質膜材からなるとともに逆止弁を有する給脱気口が設けられた袋体を備えた授乳補助具を上面に設け、前記袋体は内部に気体が注入されると断面視略Ｃ字状に膨張し、かつ、哺乳瓶の側面を少なくとも周方向の半分以上にわたって包み込むように圧迫しつつ、その姿勢を保持する保持部を形成することを特徴とする授乳用涎掛け。
【請求項２】
前記給脱気口に接続される気体注入手段を備えたことを特徴とする請求項１に記載の授乳用涎掛け。
【請求項３】
前記授乳補助具は、気密性を有する軟質膜材からなる袋状の載置台を備え、この載置台は内部に気体が注入されると膨張し、その上部に前記哺乳瓶を傾斜状態で載置可能な凹部を形成することを特徴とする請求項１又は請求項２に記載の授乳用涎掛け。
【請求項４】
前記授乳補助具は、前記保持部に、気密性を有する軟質膜材からなる調整用袋体を備えたことを特徴とする請求項１乃至請求項３のいずれか１項に記載の授乳用涎掛け。
【手続補正３】
【補正対象書類名】明細書
【補正対象項目名】００１１
【補正方法】変更
【補正の内容】
【００１１】
上記目的を達成するため、請求項１記載の発明である授乳用涎掛けは、気密性を有する軟質膜材からなるとともに逆止弁を有する給脱気口が設けられた袋体を備えた授乳補助具を上面に設け、袋体は内部に気体が注入されると断面視略Ｃ字状に膨張し、かつ、哺乳瓶の側面を少なくとも周方向の半分以上にわたって包み込むように圧迫しつつ、その姿勢を保持する保持部を形成することを特徴とするものである。
このような構造の授乳用涎掛けにおいては、上面に設けた授乳補助具の保持部が袋体の内部に注入される気体の量に応じた力で哺乳瓶の側面を圧迫するという作用を有する。これにより、哺乳瓶の姿勢が外側から包み込まれるように保持される。また、使用しない場合には内部に注入された気体を抜いて扁平形状となるまで押しつぶすことによって、収納性が向上する。加えて、乳幼児の衣服の汚れを防ぐという涎掛け本来の作用を有する。
【手続補正４】
【補正対象書類名】明細書
【補正対象項目名】００１３
【補正方法】変更
【補正の内容】
【００１３】
請求項２記載の発明は、請求項１に記載の授乳用涎掛けにおいて、給脱気口に接続される気体注入手段を備えたことを特徴とするものである。
このような構造の授乳用涎掛けにおいては、気体注入手段が給脱気口から気体を注入させて袋体を膨張させるという作用を有する。
【手続補正５】
【補正対象書類名】明細書
【補正対象項目名】００１４
【補正方法】変更
【補正の内容】
【００１４】
請求項３記載の発明は、請求項１又は請求項２に記載の授乳用涎掛けにおいて、授乳補助具は、気密性を有する軟質膜材からなる袋状の載置台を備え、この載置台は内部に気体が注入されると膨張し、その上部に哺乳瓶を傾斜状態で載置可能な凹部を形成することを特徴とするものである。
このような構造の授乳用涎掛けにおいては、内容物が常に飲み口側に溜まるように授乳補助具の載置台が哺乳瓶の傾斜姿勢を保持するという作用を有する。また、載置台の内部に注入される気体の量に応じて哺乳瓶の傾斜姿勢が変化するという作用を有する。
【手続補正６】
【補正対象書類名】明細書
【補正対象項目名】００１５
【補正方法】変更
【補正の内容】
【００１５】
請求項４記載の発明は、請求項１乃至請求項３のいずれか１項に記載の授乳用涎掛けにおいて、授乳補助具は、保持部に、気密性を有する軟質膜材からなる調整用袋体を備えたことを特徴とするものである。
このような構造の授乳用涎掛けにおいては、授乳補助具の調整用袋体が内部に気体を注入されて膨張するとともに、哺乳瓶の側面と保持部との隙間を埋めるように作用する。
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】変更
【補正の内容】
【００１８】
以上説明したように、本発明の請求項１記載の授乳用涎掛けにおいては、袋体への気体の注入量を調節することにより、授乳補助具に対して哺乳瓶のサイズや重さに応じた適切な保持力を発生させることができる。そして、保持部が哺乳瓶の側面を略均等に圧迫するため、左右方向だけでなく前後方向に対しても哺乳瓶の移動を阻止することができる。従って、哺乳瓶の姿勢が確実に保持される。また、使用しない場合には押しつぶして小型化することができる。従って、持ち運びが容易になるとともに、収納スペースも節約することができる。さらに、授乳補助具は、内部に気体を注入して使用する袋体から構成されるため、軽量化を図ることができる。また、乳幼児の体の上に置いても負担にならないため、例えば、仰向けに寝た状態の乳幼児の胸の上に置いて使用することができる。このとき、保護者は手を添えて哺乳瓶を支える必要がなく、安心して他の作業を行うことができる。すなわち、保護者は授乳時に無理な姿勢を強いられて疲労することがない。そして、自分の時間を有効に利用することが可能である。加えて、授乳時以外は授乳補助具を小さく畳み、通常の涎掛けとして使用することができる。従って、乳幼児に絶えず装着させておき、必要に応じて利用できるため、利便性が良い。
【手続補正１０】
【補正対象書類名】明細書
【補正対象項目名】００２３
【補正方法】削除
【補正の内容】
【手続補正１１】
【補正対象書類名】明細書
【補正対象項目名】００２４
【補正方法】削除
【補正の内容】
【手続補正１２】
【補正対象書類名】明細書
【補正対象項目名】００２６
【補正方法】変更
【補正の内容】
【００２６】
実施例１の授乳補助具を備えた授乳用涎掛けについて図１及び図２を用いて説明する（特に、請求項１、２に対応）。
図１（ａ）及び（ｂ）はそれぞれ本発明の実施の形態に係る授乳用涎掛けの実施例１の平面図及び授乳補助具の外観斜視図である。また、図２（ａ）乃至（ｃ）はそれぞれ実施例１の授乳補助具の膨張時の外観斜視図、正面図及び側面図である。なお、図２では手動ポンプの図示を省略している。
図1（ａ）に示すように、本実施例の授乳用涎掛け１は、仰向けに寝た状態の乳幼児に対して哺乳瓶２でミルク等を飲ませる際に飲み口２ａが移動しないように固定するためのものであり、乳幼児の胸部を覆って衣服の汚れを防ぐ本体１ａの表面に授乳補助具３ａが装着された構造となっている。本体１ａは防水性を有するポリエステルなどの合成樹脂素材からなり、その上縁部には紐１ｂが取り付けられている。紐１ｂは授乳用涎掛け１を乳幼児の胸部に取り付けるためのものであり、首に巻きつけて使用する。従って、綿などの肌触りの良い素材を使用することが望ましい。なお、紐１ｂの取り付け箇所は、図１（ａ）に示す場合に限定されるものではない。例えば、紐１ｂは本体１ａの上縁部以外の箇所に取り付け、乳幼児の腕や胴体に巻きつけて使用する構造としても良い。また、本体１ａ及び紐１ｂは、必ずしも上記素材に限定されるものではなく、その素材は適宜変更可能である。
授乳補助具３ａは気密性を有するビニルなどの軟質膜材からなる袋体４ａ及び手動ポンプ６によって構成され、手動ポンプ６は袋体４ａに設けられた給脱気口５ａに着脱可能に接続されている。給脱気口５ａに接続した状態で手動ポンプ６を押すと、手動ポンプ６内の空気が給脱気口５ａを通って袋体４ａの内部に送り込まれる。なお、手動ポンプ６には図示しない逆止弁が取り付けられており、給脱気口５ａを通って袋体４ａの内部に送り込んだ空気が勝手に給脱気口５ａを通って手動ポンプ６側に逆流しない構造になっている。また、手動ポンプ６と給脱気口５ａの接続を外した場合には、袋体４ａの内部の空気を給脱気口５ａから排出することができる。袋体４ａは押しつぶして略扁平形状とすることが可能であり、この場合には内部の空気がほぼ完全に排出されることになる。また、蛇腹構造の手動ポンプ６は袋体４ａと同様に略扁平形状になるまで押しつぶすことができる。
【手続補正１３】
【補正対象書類名】明細書
【補正対象項目名】００３３
【補正方法】変更
【補正の内容】
【００３３】
実施例３の授乳用涎掛けに装着される授乳補助具について図４を用いて説明する（特に、請求項４に対応）。
図４（ａ）及び（ｂ）はそれぞれ実施例３の授乳用涎掛けに装着される授乳補助具を構成する袋体の膨張時の正面図及び側面図である。なお、図１及び図２に示した構成要素については、同一の符号を付してその説明を省略するとともに、手動ポンプについても図示を省略する。
図４（ａ）及び（ｂ）に示すように、本実施例の授乳補助具３ｃは、実施例１の授乳補助具３ａにおいて、袋体４ａの開口部７ｂに雄型及び雌型の面ファスナー１１ａ，１１ｂがそれぞれ係止具及び受具として取り付けられるとともに、袋体４ａの保持部７ａの表面に気密性を有するビニルなどの軟質膜材からなる複数の調整用袋体９が円周方向に略均等に配置された構造となっている。なお、複数の調整用袋体９は給気管１０で互いに連通されるとともに、そのうちの１つの調整用袋体９には給脱気口５ｃが設けられている。給脱気口５ａ，５ｃには図示しない手動ポンプ６がそれぞれ着脱可能に接続されており、手動ポンプ６によって給脱気口５ｃから送り込まれた空気は、給気管１０を通って全ての調整用袋体９に送り込まれる。すなわち、手動ポンプ６を用いて給脱気口５ｃから空気を注入することにより、全ての調整用袋体９は袋体４ａと独立に膨張するように構成されている。なお、手動ポンプ６を給脱気口５ｃから外した場合には、内部の空気を排出しながら押しつぶすことにより、全ての調整用袋体９を略扁平形状にすることができる。また、給気管１０は給脱気口５ｃに空気を注入した場合に膨張するものの、その嵩は調整用袋体９よりも低く、調整用袋体９と同様に内部の空気を排出して扁平形状に押しつぶすことができる。
本実施例では調整用袋体９の外形を円柱形状としているが、これに限定されるものではない。すなわち、角柱や球のような形状であっても良い。また、調整用袋体９の個数や配置及び給気管１０の形状や給脱気口５ｃの設置箇所は本実施例の場合に限定されるものではなく、適宜変更可能である。さらに、面ファスナー１１ａ，１１ｂに代えてスナップフィットを係止具及び受具として袋体４ａの開口部７ｂに取り付けた構造とすることもできる。
【手続補正１４】
【補正対象書類名】明細書
【補正対象項目名】００３７
【補正方法】変更
【補正の内容】
【００３７】
以上説明したように、請求項１乃至請求項４に記載された発明は、仰向けに寝た状態の乳幼児のみならず、座った状態の乳幼児に対して授乳する場合にも適用可能である。